(57)【特許請求の範囲】
【請求項１】
用紙処理装置側に設けられる折り機構部と、この折り機構部の所定の支持部材に対して係脱自在に係合支持する少なくとも一方が長さ調節自在な一対の係合アームを備えた用紙載置台とからなることを特徴とする連続用紙の折り装置。
【請求項２】
用紙処理装置側に設けられる少なくともテンションバーを備えた折り機構部と、この折り機構部の前記テンションバーに係脱自在に係合支持する少なくとも一方が長さ調節自在な一対の係合アームを備えた用紙載置台とからなることを特徴とする連続用紙の折り装置。
【発明の詳細な説明】
【０００１】
【産業上の利用分野】
本発明は、連続用紙を長手方向に延びる折り用ミシン目において、二つ折り、あるいは三つ折りして重ね合わせるための折り装置に関する。
【０００２】
【従来の技術】
一般に、連続用紙の折り重ねにおいては、二つ折り、三つ折りという折りの態様に応じて折り機構部に対する連続用紙の給紙方向、より詳細には水平方向の供給角度を設定する必要があり、連続用紙の載置位置を調整することでこの供給角度の設定を行っているが、この連続用紙の位置決めは容易ではなかった。従来、これを解決するものとして、実公平４−２７８９８号公報で開示された連続用紙の載置台がある。この連続用紙の載置台は、基部の側部に所望の角度に設定可能に突き当てガイド部材を設けることにより、連続用紙を切断したり、重ね合わせ面を接着する用紙処理装置に対して、所望の角度をもって突き当てて配置できるように構成し、この角度設定によって前記用紙処理装置に設けた折り機構部に対する連続用紙の供給角度を設定するものである。
【０００３】
【発明が解決しようとする課題】
ところが、この実公平４−２７８９８号公報で開示された連続用紙の載置台は、用紙処理装置の突き当て面の前後位置がまちまちであったり、突き当て面が平らでなかったりする等、様々な構成及び形状を有する用紙処理装置を基準として折り機構部に対する連続用紙の供給角度を間接的に決定するので、折り機構部に対して所望の供給角度を有するよう位置決めすることは容易ではないという不都合があった。本発明は、この不都合を解消した連続用紙の折り装置を提供することを目的とする。
【０００４】
【課題を解決するための手段】
この目的を達成するために本発明の連続用紙の折り装置は、連続用紙処理装置側に設けられる、テンションバー、ガイド杆、絞りガイド、用紙押さえ等を備えた折り機構部と、この折り機構部の所定の支持部材、例えばテンションバーに対して係脱自在に係合支持する少なくとも一方が長さ調節自在な一対の係合アームを備えた用紙載置台とから構成したものである。
【０００５】
【作用】
折り機構部に対して、一対の係合アームの少なくとも一方の長さを調節して支持部材に係合支持し、用紙載置台を位置決めすることにより、連続用紙の折り機構部に対する水平方向の供給角度を直接的に設定するので、供給角度の設定が容易となる。
【０００６】
【実施例】
以下、本発明の好適な実施例を添付図面に基づいて説明する。ここにおいて、図１は二つ折りの折り機構部に適用した場合の一実施例を示す概略的な平面図、図２は三つ折りの折り機構部に適用した場合の一実施例を示す概略的な平面図、図３は同じく概略的な斜視図、図４は二つ折りの折り機構部に適用した場合の他の実施例を示す概略的な平面図、図５は三つ折りの折り機構部に適用した場合の他の実施例を示す概略的な平面図、図６は図１におけるテンションバーと係合アームの係合状態を示す概略的な側面図、図７は図４におけるテンションバーと係合アームの係合状態を示す概略的な側面図、図８は図５におけるテンションバーと係合アームの係合状態を示す概略的な斜視図である。
【０００７】
まず、二つ折りの折り機構部に適用した場合の一実施例を図１及び図６に基づいて説明する。図１及び図６に示すように、用紙処理装置１に設けられた折り機構部は平面Ｕ字状のテンションバー２からなり、前記テンションバー２に、用紙載置台３の一対の係合アーム４ａ，４ｂが、その先端に設けた係合溝５によって係合支持されている。前記一対の係合アーム４ａ，４ｂは、支持軸６に揺動自在に支持してもよいし、固定的に支持してもよい。前記用紙載置台３に所定状態で載置された二つ折り用の連続用紙Ｐ１ は、前記テンションバー２に対して直交する方向から供給されて、その間を上方から下方へ通過した後、上方に引き出されて二つ折りされ、用紙処理装置１のトラクタ（図示せず）にセットされる。そして、二つ折りの場合には、前記テンションバー２に対する連続用紙Ｐ１の供給方向を直交方向に設定する必要があるが、この供給方向は前記用紙載置台３の一対の係合アーム４ａ，４ｂによって、確実に直交方向に設定されることになる。
【０００８】
次に、三つ折りの折り機構部に適用した場合の一実施例を図２及び図３に基づいて説明する。図２及び図３に示すように、用紙処理装置１１に設けられた折り機構部は平面Ｕ字状のテンションバー１２と、三つ折り用の連続用紙Ｐ２の一方の折り用ミシン目に当接するガイド杆１３と、連続用紙Ｐ2 の他方の折り用ミシン目を挟み込む絞りガイド１４（図３参照）と、この絞りガイド１４に向けて連続用紙Ｐ２を押さえ付ける用紙押さえ１５と、前記テンションバー１２に所定角度を有して設けられた支持バー１６とから構成される。そして、用紙ガイド１７を垂設した用紙載置台１８には、一対の係合アーム１９ａ，１９ｂを設け、その先端に設けた係合溝２０によって前記支持バー１６に係合支持されている。
【０００９】
用紙載置台１８に所定状態で載置された三つ折り用の連続用紙Ｐ２は、支持バー１６に対して直交する方向から供給されるもので、用紙ガイド１７の上面を経てテンションバー１２の間を上方から下方へ通過した後、上方に引き出されてガイド杆１３、絞りガイド１４、用紙押さえ１５によって三つ折りされ、用紙処理装置１１のトラクタ（図示せず）にセットされる。そして、三つ折りの場合には、前記テンションバー１２に対する連続用紙Ｐ2 の供給方向は直交方向にたいして所定角度斜行するよう設定することが必要であるが、この供給方向の設定は前記用紙載置台１８の一対の係合アーム１９ａ，１９ｂと前記テンションバー１２に所定角度を有して設けられた支持バー１６によって確実になされるものである。
【００１０】
続いて、二つ折りの折り機構部に適用した場合の他の実施例を図４及び図７に基づいて説明する。図４及び図７に示すように、用紙処理装置２１に設けられた折り機構部は平面Ｕ字状のテンションバー２２からなり、前記テンションバー２２に、用紙載置台２３の一対の係合アーム２４ａ，２４ｂが、その先端に設けた係合溝２５によって係合支持されている。前記一方の係合アーム２４ａは、支持軸２６に水平方向に延びるガイド溝２７でスライド自在に支持されており、これによってその長さ、すなわち用紙載置台２３と先端の係合溝２５との距離を調整可能に構成している。そして、二つ折りの場合には両係合アーム２４ａ，２４ｂの長さが等しくなるように、前記係合アーム２４ａは最短位置に設定される。
【００１１】
用紙載置台２３に所定状態で載置された二つ折り用の連続用紙Ｐ１は、テンションバー２２に対して直交する方向から供給されて、その間を上方から下方へ通過した後、上方に引き出されて二つ折りされ、用紙処理装置２１のトラクタ（図示せず）にセットされる。そして、二つ折りの場合には、前記テンションバー２２に対する連続用紙Ｐ１ の供給方向は直交方向であることが必要であるが、この供給方向は前記用紙載置台２３の一対の係合アーム２４ａ，２４ｂによって、確実に直交方向に設定されるものである。
【００１２】
さらに続いて、三つ折りの折り機構部に適用した場合の他の実施例を図５及び図８に基づいて説明する。図５及び図８に示すように、用紙処理装置３１に設けられた折り機構部は、支持バーを有しないほかは上述した図２及び図３に示す三つ折り用の折り機構部と同一構成であり、平面Ｕ字状のテンションバー３２と、三つ折り用の連続用紙Ｐ２の一方の折り用ミシン目に当接するガイド杆３３と、連続用紙Ｐ２の他方の折り用ミシン目を挟み込む絞りガイド（図示せず）と、この絞りガイドに向けて連続用紙Ｐ２を押さえ付ける用紙押さえ３４とから構成される。一方、用紙載置台３５は、上述した図７に示す用紙載置台２３と同一構成であり、前記テンションバー３２に、用紙載置台３５の一対の係合アーム３６ａ，３６ｂが、その先端に設けた係合溝３７によって係合支持され、前記一方の係合アーム３６ａは、支持軸３８に水平方向に延びるガイド溝３９でスライド自在に支持されており、これによってその長さ、すなわち用紙載置台３５と先端の係合溝３７との距離を調整可能に構成している。そして、三つ折りの場合には前記係合アーム３６ａを最長位置に設定して、テンションバー３２に対して水平方向に、図２に示す用紙載置台１８と同一角度傾いた状態に設定される。
【００１３】
用紙載置台３５に所定状態で載置された三つ折り用の連続用紙Ｐ２は、図示してはいないが、テンションバー３２の間を上方から下方へ通過した後、上方に引き出されてガイド杆３３、絞りガイド、用紙押さえ３４によって三つ折りされ、用紙処理装置３１のトラクタ（図示せず）にセットされる。そして、上述したように、三つ折りの場合には、前記テンションバー３２に対する連続用紙Ｐ2 の供給方向は直交方向にたいして所定角度斜行するよう設定する必要があるが、この供給方向の設定は前記用紙載置台３５の一対の係合アーム３６ａ，３６ｂにおける一方の係合アーム３６ａの長さ調節により確実になされるものである。
【００１４】
なお、本発明は上述した実施例に限定されるものではなく、例えば、用紙載置台２３，３５における係合アーム２４ａ，２４ｂ，３６ａ，３６ｂの長さ調節は、一方の係合アーム２４ａ，３６ａのみならず、他方の係合アーム２４ｂ，３６ｂについても採用してもよい。
【００１５】
【発明の効果】
以上詳細に説明したところで明らかなように、本発明によれば、折り機構部の支持部材が用紙処理装置に設けられ、少なくとも一方の長さが調節自在な一対の係合アームを長さ調節して、前記支持部材に係合支持することにより、折り機構部に対する用紙載置台水平方向の角度を設定して位置決めできるので、従来技術のように容易ではない位置決めをする必要がなく、用紙処理装置の構成や形状を問わず、また二つ折り、三つ折りを問わず、折り重ね機構部に対して常に所望の供給方向から連続用紙を供給でき、安定した確実な折り動作をなし得るという効果を奏する。
【図面の簡単な説明】
【図１】  二つ折りの折り機構部に適用した場合の一実施例を示す概略的な平面図。
【図２】  三つ折りの折り機構部に適用した場合の一実施例を示す概略的な平面図。
【図３】  同場合の概略的な斜視図。
【図４】  二つ折りの折り機構部に適用した場合の他の実施例を示す概略的な平面図。
【図５】  三つ折りの折り機構部に適用した場合の他の実施例を示す概略的な平面図。
【図６】  図１に示す実施例のテンションバーと係合アームの係合状態を示す概略的な側面図。
【図７】  図４に示す実施例のテンションバーと係合アームの係合状態を示す概略的な側面図。
【図８】  図５に示す実施例のテンションバーと係合アームの係合状態を示す概略的な斜視図。
【符号の説明】
１，１１，２１，３１      用紙処理装置
２，１２，２２，３２      テンションバー
３，１８，２３，３５      用紙載置台
４ａ，４ｂ，１９ａ，１９ｂ，２４ａ，２４ｂ，３６ａ，３６ｂ      係合アーム
５，２０，２５，３７      係合溝
６，２６，３８      支持軸
１３，３３      ガイド杆
１４      絞りガイド
１５，３４      用紙押さえ
１６      支持バー
１７      用紙ガイド
２７，３９      ガイド溝
【図１】
0003645284.tif 000002
【図２】
0003645284.tif 000003
【図３】
0003645284.tif 000004
【図４】
0003645284.tif 000005
【図５】
0003645284.tif 000006
【図６】
0003645284.tif 000007
【図７】
0003645284.tif 000008
【図８】
0003645284.tif 000009